(57)【要約】【課題】ポータブル・タイプ・エレクトロニック・プロダクトに応用され、角度の制限などは一切ないなどの優れた点を有するＵＳＢインターフェース・コネクターを提供する。【解決手段】第二の中空球状のケーシング３７１の内径が第一の中空球状のケーシング３６１の外径より大きくなるように設定されると共に、その第一の中空球状のケーシング３６１との間には余裕を有する空隙が存在し、第一の中空球状のケーシング３６１をその中に余裕を有するように組立てると共に、一部を包囲するように組立て、第二の中空球状のケーシング３７１の第二接合開口３７２に隣接する箇所の径が第一の中空球状のケーシング３６１の外径より小さくなるように設定され、第二の中空球状のケーシング３７１を第一の中空球状のケーシング３６１より離脱不能に設定する。【選択図】図４
0003104556.tif 000002
【実用新案登録請求の範囲】
【請求項１】
ポータブル・エレクトロニック・デバイスに通用され、ＵＳＢインターフェース・コネクト・ポートを有するエレクトロニック・プロダクトと相互に接続し合うことに用いられる、複数方向へ旋回可能なＵＳＢインターフェース・コネクターにおいて、
第一の接合面に第一の枢着部が設けられ、当該第一の枢着部には第一の中空球状のケーシングを備えており、且つその第一の中空球状のケーシングに設けられ、自由端縁部に隣接する第一の接合開口を備えているように設計された本体と、
前記本体に対応し、且つある端部に設けられる第二枢着部と、他端に設けられるＵＳＢインターフェースとを備え、そのＵＳＢインターフェースがエレクトロニック・プロダクトの前記ＵＳＢインターフェース・コネクト・ポートに対応し、前記第二の枢着部が前記第一の枢着部に対応し、前記第二の枢着部には、第二の中空球状のケーシングを有し、且つ前記第二の中空球状のケーシングに設けられ、自由端に隣接する第二の接合開口を備えるように設計されたＵＳＢ接合体と、
を具備しており、
その中では、前記第二の中空球状のケーシングの内径が前記第一の中空球状のケーシングの外径より大きくなるように設定され、且つ前記第一の中空球状のケーシングとの間には余裕を有する空隙が存在しており、その中に余裕を有するように前記第一の中空球状のケーシングが包囲されており、また、前記第二の中空球状のケーシングの前記第二の接合開口に隣接する部分の径が、前記第一の中空球状のケーシングの外径より小さく設定され、それによって、前記第二の中空球状のケーシングを前記第一の中空球状のケーシングより離脱不能に設定し、また、前記の第二の中空球状のケーシングの前記第二の接合開口に隣接する自由端縁部が、第一の中空球状のケーシングの外表面と相互に当接して当接縁部を形成し、それによって、前記第一の枢着部と前記第二の枢着部との相対的変位をスライディング・コントロールすることによって、前記第二枢着部を複数方向へ旋回可能に設定することを特徴とする複数方向旋回機能を有するＵＳＢインターフェース・コネクター。
【請求項２】
前記第一の中空球状のケーシングには、第一の収納空間が形成され、そこに前記本体と連接する電気接続コードを収納し、それによって、電気接続コードを前記第二の中空球状のケーシング内の第二の収納空間を通させてＵＳＢインターフェースと連接するようにすることによって、前記本体と前記ＵＳＢインターフェースとの間の信号を通信可能に設定することを特徴とする請求項１に記載の複数方向旋回機能を有するＵＳＢインターフェース・コネクター。
【請求項３】
前記本体とは、ポータブル・タイプ・エレクトロニック・プロダクトのことをいうことを特徴とする請求項１に記載の複数方向旋回機能を有するＵＳＢインターフェース・コネクター。
【請求項４】
前記本体とは、少なくとも一つのトランスミッション・インターフェース・コネクト・ポートを有するＵＳＢアダプターのことをいうことを特徴とする請求項１に記載の複数方向旋回機能を有するＵＳＢインターフェース・コネクター。
【請求項５】
ポータブル・タイプ・エレクトロニック・デバイスに応用される複数方向旋回機能を有するＵＳＢインターフェース・コネクターにおいて、
二つの相互に組立てられる中空球状のケーシング同士を備え、それぞれが第一の中空球状のケーシングと第二の中空球状のケーシングと定義され、その第一の中空球状のケーシングには第一開口を有し、また、その第二の中空球状のケーシングには、前記第一の開口と接合するための第二の開口を有し、且つ前記第二の中空球状のケーシングの内径が前記第一の中空球状のケーシングの外径より大きくなるように設定され、それによって、余裕を有するほうに、その中に、前記第一の中空球状のケーシングを包囲し、また、前記第二の開口の径が前記第一の中空球状のケーシングの外径より小さくなるように設定されることによって、前記第二の中空球状のケーシングを前記第一の中空球状のケーシングより離脱不能に設定し、それらの処理によって、前記第二の中空球状のケーシングを前記第一の中空球状のケーシングに対し、スライディングの方式によってその相対的変位をコントロールすることによって、その中のある中空球状のケーシングを他の中空球状のケーシングを支点として複数方向への旋回を実行させると共に、
さらに、少なくとも一つのＵＳＢインターフェースを備え、それが前記中空球状のケーシングの少なくとも一つに設けられ、ＵＳＢインターフェース・コネクト・ポートが設けてあるエレクトロニック・プロダクトと接続することに利用されるようにしたことを特徴とする複数方向旋回機能を有するＵＳＢインターフェース・コネクター。
【請求項６】
前記中空球状ケーシングの中の一つが前記ポータブル・タイプ・エレクトロニック・デバイスの一部となることを特徴とする請求項５に記載の複数方向旋回機能を有するＵＳＢインターフェース・コネクター。
【請求項７】
前記中空球状のケーシングの中の一つが少なくとも一つのトランスミッション・インターフェース・コネクト・ポートを有するＵＳＢアダプターであることを特徴とする請求項５に記載の複数方向旋回機能を有するＵＳＢインターフェース・コネクター。
【考案の詳細な説明】
【技術分野】
【０００１】
本考案は、複数方向旋回機能を有するＵＳＢインターフェース・コネクターに係わり、特に、ポータブル・タイプ・エレクトロニック・プロダクトに応用され、角度の制限などは一切ないなどの優れた点を有するＵＳＢインターフェース・コネクターに関するものである。
【背景技術】
【０００２】
さて、ＵＳＢ（ユニバーサル・シリアル・バス）装置は、挿入されると直ちに使用可能な機能（プラグ・アンド・プレイ）と、使用中に着脱可能な機能（ホット  インサーション，ホット  スワッピング）などのかなり便利な機能性を有するので、ＵＳＢインターフェースが、既に、現在の多くの情報（インフォーメーション）のトランスミッション（送受信）のコンピュータの周辺設備に利用されている主流のトランスミッション・インターフェース・デバイスとなっている。ますます、多くのエレクトロニック・プロダクトやコンピュータ・デバイスなどの周辺設備製品が、そのようなＵＳＢインターフェースを導入使用するようになってゆき、その使用範囲が拡大されてゆく傾向が明らかに見られるようになっている。
【０００３】
しかしながら、図１に示すように、エレクトロニック・プロダクト７１には、少なくとも一つ以上のＵＳＢインターフェース・コネクト・ポート８１が配置される場合に、その配列のギャップが決まっており、普段は、単に一個のＵＳＢインターフェースを有する接続コード５１の接続結合に適用し、もし、大きいほうの体積を有する、ＵＳＢインターフェースを備える少なくとも一つのポータブル・タイプ・エレクトロニック・プロダクト６１を取り付け用とする場合に、その体積のリミットにより、その配置空間には限度があり、すべてのＵＳＢインターフェース・コネクト・ポート同士８１を利用不能になってしまう。
【０００４】
そのため、図２と図３に示すように、ある場合では、そのようなＵＳＢインターフェース・コネクターを旋回可能なアダプター構造に改良し、取り付ける場合の柔軟性を向上する目的を図る。また、図２に示すようなＸ軸に回って旋回するコネクター構造１のように、それには、本体１１と、その本体１１の一端に形成される第一の接合面１４と、本体１１に対応しあうＵＳＢ接合体１２と、そのＵＳＢ接合体１２の一端に設けられる第二の接合面１５と、そのＵＳＢ接合体１２の他の端面部に設けられるＵＳＢインターフェース１２１と、その第一の接合面１４と第二の接合面１５に直交するように枢着される枢着軸１３と、を備えており、枢着軸１３（Ｘ軸）を軸心としてそのＵＳＢ接合体１２の前記Ｘ軸に対する旋回揺動をコントロールすることによって、コネクター構造１の取り付け調整の目的を達成する。
【０００５】
また、図３に示すＸＺ方向旋回可能なコネクター構造２には、本体２１と、その本体２１の一端に形成される第一の接合面２４と、本体２１と対応しあうＵＳＢ接合体２２と、そのＵＳＢ接合体２２の一端に設けられる第二の接合面２５と、ＵＳＢ接合体２２の他端に設けられるＵＳＢインターフェース２２１と、第一の接合面２４と第二の接合面２５に平行に枢着される枢着軸２３と、を備えており、前記枢着軸２３（Ｙ軸）を軸心として、ＵＳＢ接合体２２をＸＺ平面に沿って旋回揺動させるようにコントロールすることによって、コネクター構造２の取り付け調整の目的を図る。
【０００６】
しかしながら、前記のコネクター構造２は単一の軸心（Ｘ軸周り）に対し旋回し、他の軸（Ｙ，Ｚ軸）への旋回の挿着に対応不能になってしまい、また、コネクター構造２は、単一の軸心（Ｙ軸）に対応して単一の平面（ＸＺ平面）に対し旋回揺動をするものであり、他の角度への揺動挿着接続操作には対応できず、従来のマーケットにおいては、そのエレクトロニック・プロダクトとそれぞれのタイプのコンピュータ製品のそれぞれの種類のＵＳＢインターフェース・コネクト・ポートのアレンジ・タイプに対しては、一々と合せて応用することができないなどの課題を有している。
【０００７】
そのため、同時に空間的配置の課題と、角度の制限を受けないようなＵＳＢインターフェース・コネクターのそれぞれの課題を解消することが、現在の実用的科学においては、至急に解決されたい大切な課題となっている。
【考案の開示】
【考案が解決しようとする課題】
【０００８】
前記のそれぞれの課題を解決するために、本考案は、
ポータブル・エレクトロニック・デバイスに応用され、ＵＳＢインターフェース・コネクト・ポートを有するエレクトロニック・プロダクトと相互に接続し合うことに用いられる、複数方向へ旋回可能なＵＳＢインターフェース・コネクターにおいて、
第一の接合面に第一の枢着部が設けられ、当該第一の枢着部には中空球状のケーシングを備えており、且つその中空球状のケーシングに設けられ、自由端縁部に隣接する第一の接合開口を備えているように設計された本体と、
前記本体に対応し、且つある端部に設けられる第二枢着部と、他端に設けられるＵＳＢインターフェースとを備え、そのＵＳＢインターフェースがエレクトロニック・プロダクトの前記ＵＳＢインターフェース・コネクト・ポートに対応し、前記第二の枢着部が前記第一の枢着部に対応し、前記第二の枢着部には、第二の中空球状のケーシングを有し、且つ前記第二の中空球状のケーシングに設けられ、自由端に隣接する第二の接合開口を備えているように設計されたＵＳＢ接合体と、
を具備しており、
その中では、前記第二の中空球状のケーシングの内径が前記第一の中空球状のケーシングの内径より大きくなるように設定され、且つ前記第一の中空球状のケーシングとの間には余裕を有する空隙が存在しており、その中に余裕を有するように前記第一の中空球状のケーシングが包囲されており、また、前記第二の中空球状のケーシングの前記第二の接合開口に隣接する部分の径が、前記第一の中空球状のケーシングの外径より小さく設定され、そのことによって、前記第二の中空球状のケーシングを前記第一の中空球状のケーシングより離脱不能に設定し、また、前記の第二の中空球状のケーシングの前記第二の接合開口に隣接する自由端縁部が、第一の中空球状のケーシングの外表面と相互に当接して当接縁部を形成し、それによって、前記第一の枢着部と前記第二の枢着部との相対的変位をスライディング・コントロールすることによって、前記第二枢着部を複数方向へ旋回可能に設定する、複数方向旋回機能を有するＵＳＢインターフェース・コネクターを提供する。
【０００９】
また、本考案は、前記のそれぞれの課題を解決するための他の手段として、
ポータブル・タイプ・エレクトロニック・デバイスに応用される複数方向旋回機能を有するＵＳＢインターフェース・コネクターにおいて、
二つの相互に組立てられる中空球状のケーシング同士を備え、それぞれが第一の中空球状のケーシングと第二の中空球状のケーシングと定義され、その第一の中空球状のケーシングには第一開口を有し、また、その第二の中空球状のケーシングには、前記第一の開口と接合するための第二の開口を有し、且つ前記第二の中空球状のケーシングの内径が前記第一の中空球状のケーシングの外径より大きくなるように設定され、そのことによって、余裕を有するほうに、その中に、前記第一の中空球状のケーシングを包囲し、また、前記第二の開口の径が前記第一の中空球状のケーシングの外径より小さくなるように設定されることによって、前記第二の中空球状のケーシングを前記第一の中空球状のケーシングより離脱不能に設定し、それらの処理によって、前記第二の中空球状のケーシングを前記第一の中空球状のケーシングに対し、スライディングの方式によってその相対的変位をコントロールすることによって、その中のある中空球状のケーシングを他の中空球状のケーシングを支点として複数方向への旋回を実行させると共に、
さらに、少なくとも一つのＵＳＢインターフェースを備え、それが前記中空球状のケーシングの少なくとも一つに設けられ、ＵＳＢインターフェース・コネクト・ポートが設けてあるエレクトロニック・プロダクトと接続することに利用されるようにした、複数方向旋回機能を有するＵＳＢインターフェース・コネクターを提供する。
【００１０】
本考案の特徴とその技術内容をさらに詳しく解明するために、以下に添付図面を参照しながら、本考案の実施可能な実施の形態を詳細的で具体的に説明するが、それらの詳細な説明による具体的な構成は、単に本考案の実施可能な実施例に過ぎず、本考案の主張範囲を狭義的に局限するものではないことは言うまでもない。
【考案を実施するための最良の形態】
【００１１】
図４ないし図７に示すように、本考案による複数方向へ旋回可能なＵＳＢインターフェース・コネクター３は、ポータブル・エレクトロニック・デバイス６に応用されるものであり（図７参照）、ＵＳＢインターフェース・コネクト・ポート８を有するエレクトロニック・プロダクト７と相互に接続し合うことに用いられるものである。図４に示すように、複数方向旋回機能を有するＵＳＢインターフェース・コネクター３には、本体３１と、その本体３１と対応しあうＵＳＢ接合体３２とを有し、その中では、本体３１は、一種のポータブル・エレクトロニック・プロダクトであり、または、図６に示すように、その本体３１は、少なくとも一つのトランスミッション・コネクト・ポート４を有するＵＳＢアダプターである。
【００１２】
図４に示すように、その本体３１には、その一端における第一の接合面（符号なし）に設けられる第一の枢着部３６を有し、その第一の枢着部３６には、第一の中空球状のケーシング３６１と、その第一の中空球状のケーシング３６１の自由端縁部に設けられる第一の接合開口３６２とを備えている。
【００１３】
図４に示すように、ＵＳＢ接合体３２は、その一端には前記第一の枢着部３６に対応する第二の枢着部３７を有すると共に、その他端には、ＵＳＢインターフェース３２１を有しており、ＵＳＢインターフェース３２１がそのエレクトロニック・プロダクトの前記ＵＳＢポートに対応し、その第二の枢着部３７には、第二の中空球状のケーシング３７１と、その第二の中空球状のケーシング３７１の自由端縁部に設けられる第二の接合開口３７２を備えている。
【００１４】
その中では、第二の中空球状のケーシング３７１の内径が第一の中空球状のケーシング３６１の外径より大きくなるように設定されると共に、第一の中空球状のケーシング３６１との間には余裕を有する空隙が存在しており、それによって、第一の中空球状のケーシング３６１をその中に余裕を有するように組立てると共に、一部を包囲するように組立てる。
【００１５】
その中では、第二の中空球状のケーシング３７１の第二の接合開口３７２に隣接する箇所の径が前記第一の中空球状のケーシング３６１の外径より小さくなるように設定され、それによって、第二の中空球状のケーシング３７１を第一の中空球状のケーシング３６１より離脱不能に設定する。また、第二の中空球状のケーシング３７１の第二の接合開口３７２に隣接する前記の自由端縁部が、前記第一の中空球状のケーシング３６１の前記外表面と相互に当接されて当接縁部を形成し、それによって、第一の枢着部３６と第二の枢着部３７との相対的変位の作動をスライディング・コントロールすることによって、第二の枢着部３７を単一の平面における複数方向への旋回の機能に局限しないように設定する（図５参照）。
【００１６】
図５に示すように、第一の中空球状のケーシング３６１には、第一の収納空間３６３が設けられ、そこに本体３１と接続しあう電気接続コード（図示せず）を収納することによって、電気接続コードを第二の中空球状ケーシング３７１内に設けられる第二の収納空間３７３へ抜けとおさせ、ＵＳＢインターフェース３２１と連通するように設定し、それによって、本体３１と、ＵＳＢインターフェース３２１との間の信号を通信可能に設定する。
【００１７】
また、図７に示すように、本考案は、その第二の中空球状のケーシング３７１の内径を第一の中空球状のケーシング３６１の外径より大きくなるように設定すると共に、第二の中空球状のケーシング３７１と第一の中空球状のケーシング３６１とのコンタクト・スライディングによって第一の枢着部３６と第二の枢着部３７との相対的変位をコントロールすることによって、第二の枢着部３７に、単一の平面における複数方向への旋回に局限させないように作用できるので、同時に空間的配置の課題を解消すると共に、角度の制限を受けないＵＳＢインターフェース・コネクターを提供可能な目的を図る。そのため、ＵＳＢインターフェース接続コード５と、ＵＳＢインターフェースを有するポータブル・エレクトロニック・デバイス６と、本考案の複数方向旋回機能を有するＵＳＢインターフェース・コネクター３とは、同時に着脱できると共に、エレクトロニック・プロダクト７におけるすべてのＵＳＢインターフェース・コネクト・ポート８を利用可能にする目的をも図れる。
【産業上の利用可能性】
【００１８】
前記に説明したように、本考案による場合、有用な“複数方向旋回機能を有するＵＳＢインターフェース・コネクター”を提供できる。
【００１９】
前記に説明したように、本考案は、確かに予期した目的とその効果性を達成でき、また、前記に掲げた技術手段は単に本考案のある実施可能な実施例に過ぎず、いずれの本考案の明細書と図面と請求の範囲に記載される技術の要旨に基づいて実施される他の形態の改造や変更や一部転用などがすべて本考案の主張範囲内に納入されるべきことは言うまでもない。
【図面の簡単な説明】
【００２０】
【図１】従来のＵＳＢインターフェースの応用形態を示す説明図である。
【図２】第一種の従来のＵＳＢインターフェースの旋回コネクターの構造を示す斜視図である。
【図３】第二種の従来のＵＳＢインターフェースの旋回コネクターの構造を示す斜視図である。
【図４】本考案のＵＳＢインターフェース・コネクターを示す分解斜視図である。
【図５】本考案のＵＳＢインターフェース・コネクターを示すＸＹ断面図である。
【図６】本考案のＵＳＢインターフェース・コネクターの旋回状態を示す説明図である。
【図７】本考案のＵＳＢインターフェース・コネクターの応用形態を示す説明図である。
【符号の説明】
【００２１】
３      本考案の複数方向旋回可能機能を有するＵＳＢインターフェース・コネクター
４      トランスミッション・インターフェース・コネクト・ポート
５      ＵＳＢインターフェース接続コード
６      ＵＳＢインターフェースを有するポータブル・エレクトロニック・デバイス
７      エレクトロニック・プロダクト
８      ＵＳＢインターフェース・コネクト・ポート
３１    本体
３２    ＵＳＢ接合体
３６    第一の枢着部
３７    第二の枢着部
３２１  ＵＳＢインターフェース
３６１  第一の中空球状のケーシング
３６２  第一の接合開口
３６３  第一の収納空間
３７１  第二の中空球状のケーシング
３７２  第二の接合開口
３７３  第二の収納空間
【図１】
0003104556.tif 000003
【図２】
0003104556.tif 000004
【図３】
0003104556.tif 000005
【図４】
0003104556.tif 000006
【図５】
0003104556.tif 000007
【図６】
0003104556.tif 000008
【図７】
0003104556.tif 000009